(57)【要約】【課題】従来の記録装置では、記録品位を向上させることが困難である。【解決手段】樹脂材と紙材とを積層した記録媒体Ｍが巻き取られたロール３１を着脱可能に支持する支持部１３Ａと、ロール３１から巻きほどかれた記録媒体Ｍの前記樹脂材側に記録を行う記録ヘッド１１と、記録媒体Ｍの搬送経路Ｆで記録ヘッド１１よりも上流側において搬送経路Ｆの記録ヘッド１１と対向する側に位置し、ロール３１から巻きほどかれた記録媒体Ｍに接した状態で記録媒体Ｍを記録ヘッド１１と対向する位置に案内する案内部５と、を有し、支持部１３Ａで支持可能な最大の外径を有するロール３１を支持部１３Ａに支持させた状態で、ロール３１の最外周と案内部との間の距離Ｈが、１０ｍｍ以下である、ことを特徴とする記録装置。【選択図】図２
2016030353.tif 000002
【特許請求の範囲】
【請求項１】
樹脂材と紙材とを積層した記録媒体がロール状に巻き取られたロールを着脱可能に支持する支持部と、
前記ロールから巻きほどかれた前記記録媒体を搬送する搬送部と、
前記搬送部によって搬送される前記記録媒体の搬送経路に対向して位置し前記記録媒体の前記樹脂材側に記録を行う記録ヘッドと、
前記搬送部によって搬送される前記記録媒体の搬送方向で前記記録ヘッドと対向する位置よりも上流側において前記搬送経路の前記記録ヘッドと対向する側に位置し、前記ロールから巻きほどかれた前記記録媒体に接した状態で前記記録媒体を前記記録ヘッドと対向する位置に案内する案内部と、を有し、
前記支持部で支持可能な最大の外径を有する前記ロールを前記支持部に支持させた状態で、前記ロールの最外周と前記案内部との間の距離が、１０ｍｍ以下である、
ことを特徴とする記録装置。
【請求項２】
前記案内部は、前記記録ヘッドと対向する位置よりも上流側から、少なくとも前記記録ヘッドに対向する領域まで延在している、
ことを特徴とする請求項１に記載の記録装置。
【請求項３】
前記案内部に、前記ロールを回転可能に支持するロール支持部が設けられている、
ことを特徴とする請求項１又は２に記載の記録装置。
【発明の詳細な説明】
【技術分野】
【０００１】
本発明は、記録装置等に関する。
【背景技術】
【０００２】
記録装置の一例であるインクジェットプリンターでは、記録用紙などの記録媒体に、記録ヘッドから液体の一例であるインクを吐出させることによって、記録媒体への記録が行われる。記録物の一例として、屋外に掲示される広告やポスターなどがある。屋外に掲示される記録物には、耐水性や耐光性などが求められる。そして、従来、屋外に掲示される記録物の記録に適するインクジェットプリンターが知られている（例えば、特許文献１参照）。ところで、屋外に掲示される記録物に適した記録媒体として、紙材と合成樹脂製のシート材とを接着剤を介して積層した記録媒体（以下、積層媒体と呼ぶ）が知られている。特許文献１に記載されたインクジェットプリンターに上記の記録媒体を適用すれば、記録物の耐水性や耐光性などの向上が期待できる。
【先行技術文献】
【特許文献】
【０００３】
【特許文献１】国際公開第２００４／０９４１５０号
【発明の概要】
【発明が解決しようとする課題】
【０００４】
しかしながら、特許文献１に記載されたインクジェットプリンターでは、ロール状に巻かれた記録媒体が巻きほどかれてからプラテンに到達するまでの間において、記録媒体の表面と裏面との双方が大気に晒される。本発明者は、積層媒体の表面及び裏面の双方が大気に晒された状態が続くと、積層媒体にしわなどの変形が発生しやすいという知見を見出した。記録媒体にしわなどの変形が発生すると、記録ヘッドと記録媒体との間の距離のばらつきが大きくなるので、記録物の記録品位が低下しやすい。このように、従来の記録装置では、記録品位を向上させることが困難であるという課題がある。
【課題を解決するための手段】
【０００５】
本発明は、少なくとも上述の課題を解決することができるものであり、以下の形態又は適用例として実現され得る。
【０００６】
［適用例１］樹脂材と紙材とを積層した記録媒体がロール状に巻き取られたロールを着脱可能に支持する支持部と、前記ロールから巻きほどかれた前記記録媒体を搬送する搬送部と、前記搬送部によって搬送される前記記録媒体の搬送経路に対向して位置し前記記録媒体の前記樹脂材側に記録を行う記録ヘッドと、前記搬送部によって搬送される前記記録媒体の搬送方向で前記記録ヘッドと対向する位置よりも上流側において前記搬送経路の前記記録ヘッドと対向する側に位置し、前記ロールから巻きほどかれた前記記録媒体に接した状態で前記記録媒体を前記記録ヘッドと対向する位置に案内する案内部と、を有し、前記支持部で支持可能な最大の外径を有する前記ロールを前記支持部に支持させた状態で、前記ロールの最外周と前記案内部との間の距離が、１０ｍｍ以下である、ことを特徴とする記録装置。
【０００７】
この適用例の記録装置では、支持部で支持可能な最大の外径を有するロールを支持部に支持させた状態でロールの最外周と案内部との間の距離が１０ｍｍ以下である。これによれば、ロールから巻きほどかれた記録媒体が、速やかに案内部に接することができる。樹脂材と紙材とが積層する記録媒体において、記録ヘッドに対面する面と、その反対側の面との双方が大気に晒されると記録媒体にしわなどの変形が発生することがある。このようなことに対して、この記録装置では、ロールから巻きほどかれた記録媒体が速やかに案内部に接するので、記録ヘッドに対面する面と、その反対側の面との双方が大気に晒される期間を短くすることができる。このため、この記録装置によれば、記録媒体が記録ヘッドに対向する位置に到達するまでの間において、記録媒体にしわなどの変形が発生することを抑えやすい。これにより、記録物の記録品位を向上させやすい。
【０００８】
［適用例２］上記の記録装置であって、前記案内部は、前記記録ヘッドと対向する位置よりも上流側から、少なくとも前記記録ヘッドに対向する領域まで延在している、ことを特徴とする記録装置。
【０００９】
この適用例では、案内部が記録ヘッドと対向する位置よりも上流側から少なくとも記録ヘッドに対向する領域まで延在している。このため、記録ヘッドと対向する位置よりも上流側から記録ヘッドに対向する領域にわたって記録媒体を案内部に接触させやすい。これにより、記録ヘッドと対向する位置よりも上流側から少なくとも記録ヘッドに対向する領域にわたって記録媒体の変形を抑えやすいので、記録物の記録品位を一層向上させやすい。
【００１０】
［適用例３］上記の記録装置であって、前記案内部に、前記ロールを回転可能に支持するロール支持部が設けられている、ことを特徴とする記録装置。
【００１１】
この適用例では、案内部にロール支持部が設けられているので、ロールを案内部に近づけやすい。この結果、ロールから巻きほどかれた記録媒体を速やかに案内部に接触させやすい。
【図面の簡単な説明】
【００１２】
【図１】本実施形態における記録装置を示す斜視図。
【図２】本実施形態における記録装置を図１中のＡ視方向に見たときの側面図。
【図３】本実施形態における記録媒体の構成を説明する図。
【図４】本実施形態における案内部の他の例を説明する図。
【発明を実施するための形態】
【００１３】
図面を参照しながら、実施形態について説明する。なお、各図面において、それぞれの構成を認識可能な程度の大きさにするために、構成や部材の縮尺が異なっていることがある。
【００１４】
本実施形態における記録装置１は、図１に示すように、脚部３と、案内部５と、本体部７と、を有している。なお、図１には、相互に直交する座標軸であるＸＹＺ軸が付されている。これ以降に示す図についても必要に応じてＸＹＺ軸が付されている。本実施形態では、Ｘ軸とＹ軸とによって規定される水平な平面（ＸＹ平面）に記録装置１を配置した状態が、記録装置１の使用状態である。Ｚ軸は、水平な平面に直交する軸である。記録装置１の使用状態において、Ｚ軸方向が鉛直方向となる。
【００１５】
脚部３は、案内部５及び本体部７を支持しており、床などの上に載置されたり、据えられたりする。案内部５は、記録ヘッド１１による記録を受ける記録媒体Ｍを支持する。本体部７は、案内部５よりもＺ軸方向で上方に位置しており、Ｘ軸方向に案内部５をまたいでいる。このため、案内部５と本体部７とは、互いに交差している。記録装置１では、記録ヘッド１１と記録媒体Ｍとの平面視での相対位置を変化させつつ、記録ヘッド１１からインクをインク滴として吐出させることによって、記録媒体Ｍにインクで記録を行うことができる。
【００１６】
記録装置１は、図１中のＡ視方向に見たときの側面図である図２に示すように、支持部の一例である送出装置１３と、搬送部の一例である搬送装置１５と、巻取り装置１７と、を有している。なお、図２では、構成をわかりやすく示すため、案内部５と本体部７とを断面図で示している。また、記録装置１の本体部７は、キャリッジ１９を有している。記録ヘッド１１は、キャリッジ１９に搭載されている。キャリッジ１９は、本体部７内において、Ｘ軸（図１）に沿って往復移動可能に構成されている。キャリッジ１９は、モーター（図示せず）からの動力によって、Ｘ軸に沿って往復移動する。
【００１７】
記録媒体Ｍは、図２に示すように、ロール３１の状態で送出装置１３に装着される。ロール３１には、記録を実施すべき記録媒体Ｍが、筒状の芯管３１Ａに巻き取られている。送出装置１３は、モーター（図示せず）と、ロール３１の芯管３１Ａを回転自在に支持する支持部１３Ａと、を有している。送出装置１３では、モーターからの動力によって支持部１３Ａを駆動することによってロール３１が回転する。これにより、ロール３１から記録媒体Ｍが巻きほどかれて案内部５へ送り出される。支持部１３Ａは、ロール支持部の一例である。
【００１８】
搬送装置１５は、モーター（図示せず）と、一対のローラー１５Ａ及びローラー１５Ｂと、を有している。ローラー１５Ａ及びローラー１５Ｂは、互いに外周を接し合って回転可能に構成されている。搬送装置１５では、モーターからの動力によって一対のローラー１５Ａ及びローラー１５Ｂが回転駆動される。そして、記録媒体Ｍをローラー１５Ａとローラー１５Ｂとの間に挟持した状態で一対のローラー１５Ａ及びローラー１５Ｂを回転駆動することによって、記録媒体Ｍを搬送経路Ｆに沿って搬送する。
【００１９】
巻取り装置１７は、記録媒体Ｍをロール３２として巻き取る。ロール３２には、記録が実施された記録媒体Ｍが、筒状の芯管に巻き取られている。巻取り装置１７は、モーター（図示せず）と、ロール３２の芯管を回転自在に支持する支持部（図示せず）と、を有している。巻取り装置１７では、モーターからの動力によって支持部を回転させることによってロール３２が回転する。これにより、案内部５側から送り出された記録媒体Ｍを巻取り装置１７によってロール３２として巻き取ることができる。
【００２０】
案内部５は、Ｙ軸に沿って本体部７をまたぐ長さを有している。案内部５は、本体部７に重なる位置に設けられている。記録ヘッド１１は、案内部５に対向している。送出装置１３によってロール３１から巻きほどかれた記録媒体Ｍは、案内部５と本体部７との間を通って巻取り装置１７に至る。送出装置１３から案内部５と本体部７との間を経て巻取り装置１７に至る経路が、記録装置１における記録媒体Ｍの搬送経路Ｆである。搬送装置１５は、搬送経路Ｆで送出装置１３よりも下流側に設けられている。送出装置１３によってロール３１から巻きほどかれた記録媒体Ｍは、案内部５に支持された状態で搬送装置１５によって搬送経路Ｆの下流側に向けて搬送される。
【００２１】
記録ヘッド１１は、搬送経路Ｆで搬送装置１５よりも下流側に設けられている。搬送経路Ｆにおいて、記録媒体Ｍは、記録ヘッド１１に対面する。このため、記録装置１では、搬送経路Ｆにおいて記録媒体Ｍに記録ヘッド１１で記録を行うことができる。巻取り装置１７は、搬送経路Ｆで案内部５よりも下流側に設けられている。記録ヘッド１１による記録が行なわれた記録媒体Ｍは、搬送経路Ｆで案内部５よりも下流側で巻取り装置１７によってロール３２として巻き取られる。このように、記録装置１では、ロールトゥロールの形態で記録媒体Ｍに記録を行うことができる。記録装置１において、記録媒体Ｍへの記録の動作は、制御部３５によって制御される。つまり、記録装置１では、送出装置１３、搬送装置１５、キャリッジ１９、記録ヘッド１１、及び巻取り装置１７のそれぞれの駆動が、制御部３５によって制御される。
【００２２】
なお、記録装置１では、搬送経路Ｆで案内部５と巻取り装置１７との間に、テンション付与機構４１が設けられている。テンション付与機構４１は、図１に示すように、脚部３の基部に回動可能に支持された一対のアーム部材４３と、一対のアーム部材４３に回転可能に支持されたテンションローラー４５と、を備える。テンションローラー４５は、想定される記録媒体ＭのＸ軸に沿った最大幅よりも長い軸長を有している。テンションローラー４５は、図２に示すように、記録媒体Ｍの案内部５によって支持される側の面に当接した状態で、記録媒体Ｍを押圧する。これにより、記録媒体Ｍには、搬送経路Ｆで案内部５と巻取り装置１７との間に張力が付与される。この結果、巻取り装置１７で記録媒体Ｍを巻き取るときに、ロール３２に緩みが発生することを避けやすい。
【００２３】
記録媒体Ｍについて説明する。本実施形態では、記録媒体Ｍとして、図３に示すように、樹脂材の一例であるポリ塩化ビニル製のフィルム６１と、紙材の一例である剥離紙６３とが粘着材６５を介して積層されたものが採用されている。このような記録媒体Ｍは、屋内外で掲示される広告などのサイン用途等に広く使用されている。ポリ塩化ビニル製のフィルム６１側を記録面として、記録面に記録装置１で種々の記録を行い、記録面の裏側に積層された剥離紙６３を剥離してフィルム６１を各種の下地基材に貼り付けることによって、フィルム６１を広告として活用することができる。
【００２４】
このような記録媒体Ｍにおいて、記録媒体Ｍの保管状況によって記録媒体Ｍにしわなどの変形が発生することが見出された。記録媒体Ｍにしわなどの変形が発生すると、記録ヘッド１１と記録媒体Ｍとの間の距離が大きくばらついてしまうため、記録品位が大きく損なわれてしまうことがある。また、記録媒体Ｍにしわなどの変形が発生すると、記録媒体Ｍが記録ヘッド１１に接触してしまい、記録ヘッド１１に損傷を与えてしまうことも考えられる。よって、記録媒体Ｍに変形が発生することを抑制することが望ましい。このようなことに対して、種々の実験が試みられた。そして、ロール３１から巻きほどかれた記録媒体Ｍをなるべく速やかに案内部５に支持させることで記録媒体Ｍの変形を極めて低く抑えることができるという知見が見出された。
【００２５】
このような知見に想到し得た実験結果を下記表１に記す。この実験結果は、案内部５と同一の材料で構成された板材に記録媒体Ｍを載置した状態で放置したときの経過を観察した実施例１と、記録媒体Ｍだけを放置したときの経過を観察した比較例とを対比した結果である。なお、実施例１、及び比較例のいずれにおいても、記録媒体Ｍとして、３ＭTMスコッチカルTMグラフィックフィルムＩＪ４０−１０Ｒ（３Ｍ社製）を使用した。記録媒体Ｍの厚みは、ポリ塩化ビニル製のフィルム６１と粘着材６５と剥離紙６３とを含めて約０．１２ｍｍである。
【００２６】
【表１】
2016030353.tif 000003
【００２７】
実施例１では、比較例に対比して記録媒体Ｍの変形を極めて小さく抑えることができる。このことから、記録媒体Ｍの剥離紙側を板材に接触させることによって記録媒体Ｍの変形を小さく抑えることができるという知見が見出された。これは、記録媒体Ｍの剥離紙側を板材に接触させることによって剥離紙がポリ塩化ビニルのフィルム６１と板材とによって挟まれるため、剥離紙の吸湿が低く抑えられたことによるものと推測される。紙材と樹脂材（ポリ塩化ビニル）とでは、吸湿による伸びの量が異なるため、記録媒体Ｍが大気に晒されるとしわなどの変形が発生すると考えられる。このため、比較例では、記録媒体Ｍに大きな変形が発生したものと思われる。
【００２８】
上記の知見により、記録装置１では、ロール３１から巻きほどかれた記録媒体Ｍが案内部５に到達するまでの距離を短くすることが望ましい。そこで、本実施形態では、図２に示すように、支持部１３Ａで支持可能な最大の外径を有するロール３１を支持部１３Ａに支持させた状態で、ロール３１の最外周と案内部５との間の距離Ｈが１０ｍｍ以下に設定されている。換言すれば、距離Ｈは、支持部１３Ａで支持可能な最大の外径を有するロール３１を支持部１３Ａに支持させた状態で、ロール３１から巻きほどかれた記録媒体Ｍが案内部５に到達するまでの距離である。
【００２９】
これによれば、ロール３１から巻きほどかれた記録媒体Ｍが、速やかに案内部５に接することができる。これにより、記録媒体Ｍのフィルム６１側の面と、その反対側の剥離紙６３側の面との双方が大気に晒される期間を短くすることができる。このため、記録媒体Ｍが記録ヘッド１１に対向する位置に到達するまでの間において、記録媒体Ｍにしわなどの変形が発生することを抑えやすい。これにより、記録物の記録品位を向上させやすい。
【００３０】
また、記録装置１では、図２示すように、案内部５が、搬送経路Ｆで記録ヘッド１１よりも上流側から少なくとも記録ヘッド１１に対向する領域まで延在している。この構成によれば、記録ヘッド１１と対向する位置よりも上流側から記録ヘッド１１に対向する領域にわたって記録媒体Ｍを案内部５に接触させやすい。これにより、記録ヘッド１１と対向する位置よりも上流側から少なくとも記録ヘッド１１に対向する領域にわたって記録媒体Ｍの変形を抑えやすいので、記録物の記録品位を一層向上させやすい。
【００３１】
なお、記録装置１において、図４に示すように、支持部１３Ａを案内部５に設けた構成も採用され得る。この構成によれば、案内部５に支持部１３Ａが設けられるので、ロール３１を案内部５に近づけやすい。これにより、ロール３１から巻きほどかれた記録媒体Ｍが案内部５に到達するまでの距離Ｈを短縮しやすい。この結果、ロール３１から巻きほどかれた記録媒体Ｍを一層速やかに案内部５に接触させやすい。
【符号の説明】
【００３２】
１…記録装置、３…脚部、５…案内部、７…本体部、１１…記録ヘッド、１３…送出装置、１３Ａ…支持部、１５…搬送装置、１５Ａ，１５Ｂ…ローラー、１７…巻取り装置、３１…ロール、３１Ａ…芯管、３２…ロール、３５…制御部、４１…テンション付与機構、４３…アーム部材、４５…テンションローラー、６１…フィルム、６３…剥離紙、６５…粘着材、Ｆ…搬送経路、Ｍ…記録媒体。
【図１】
2016030353.tif 000004
【図２】
2016030353.tif 000005
【図３】
2016030353.tif 000006
【図４】
2016030353.tif 000007